【事件の表示】
　平成　５年特許願第２５８５１２号「弾球遊技機」拒絶査定不服審判事件〔平成　７年　５月　２日出願公開、特開平　７−１１２０６０〕について、次のとおり審決する。
【結　論】
　本件審判の請求は、成り立たない。
【理　由】
【１】手続の経緯・本願発明
　本願は平成５年１０月１５日の出願であって、その請求項１に係る発明は、平成１５年７月１日付け手続補正書により補正された明細書及び出願当初の図面の記載からみて、その特許請求の範囲の請求項１に記載された以下のとおりのものと認める。
　「【請求項１】遊技領域中の第１所定点に打球が到達したことを検出する第１球検出装置と、
　その第１球検出装置が打球を検出することに基づいて図柄を表示する図柄表示装置と、
　その図柄表示装置に所定図柄が表示されることに基づいてオープンされる球受入装置と、
　その球受入装置に受入れられた球を物理的に振り分ける機械式振り分け装置と、
　その機械式振り分け装置が、受入れられた球を特別領域に振り分けたときに特別入賞状態をセットする特別入賞状態実現装置と、
　始動入賞口と、
　特別入賞状態がセットされている間に前記始動入賞口に打球が入賞すると開放する大入賞口とを備え、
　特別入賞状態がセットされている間に特別領域に打球が振り分けられた場合には特別入賞状態が解消される弾球遊技機において、
　遊技領域の中央部には、上から前記球受入装置、前記機械式振り分け装置、前記大入賞口の順でほぼ同一線上に配置するとともに、該ほぼ同一線の右方側に前記始動入賞口を配置し、左方側に前記第１所定点を配置し、
　さらに、前記始動入賞口は、前記球受入装置よりも下方であって、かつ前記大入賞口よりも上方に位置するように配置したことを特徴とする弾球遊技機。」（以下、「本願発明」という。）
　　
　　
【２】引用刊行物とその記載事項
　原査定の拒絶の理由に引用され、本願出願前に日本国内において頒布された刊行物である特開平４−２４４１７９号公報（以下、「刊行物」という。）には、パチンコ機に関して、以下の事項が図面とともに記載されている。
１．「【課題を解決するための手段】・・・本発明においては、遊技盤に設けられ且つ特別装置作動領域を含む複数の通過領域が形成された特別入賞装置と、該特別入賞装置に誘導された打球が前記特別装置作動領域を通過したときに作動開始すると共に再度特別装置作動領域を打球が通過したとき又は前記遊技盤に設けられる始動入賞口に所定個数の打球が入賞したときに作動終了する特別装置と、該特別装置の作動中に前記始動入賞口に打球が入賞する毎に所定の態様で開放駆動される変動入賞装置と、を備えたパチンコ機において、前記始動入賞口には、前記変動入賞装置に許容された開放時間よりも長い時間周期で打球を受け入れることが可能な打球受入機構を内蔵したことを特徴とするものである。」（段落【０００４】）
２．「【実施例】・・・図において、遊技盤１の誘導レール２によって囲まれた遊技領域３のほぼ中央下部には、特別入賞装置４が配置されている。この特別入賞装置４は、特別装置作動領域５を含む複数の通過領域５、６ａ，６ｂを有し、上方から受け入れた打球を螺旋円盤を利用して旋回させ、その旋回中にいずれかの通過領域５、６ａ，６ｂに落下させるものである。左右の通過領域６ａ，６ｂは、打球が落下することによって所定個数（例えば、１５個）の景品玉を排出する入賞通過領域として構成されている。また、中央の特別装置作動領域５を打球が通過することによって、前記と同様に所定個数の景品玉を排出すると共に、図示しない特別入賞玉検出スイッチをＯＮさせる。特別入賞玉検出スイッチのＯＮ信号は、権利発生状態の発生と消滅とを検出する信号として利用される。なお、図示の実施例において特別入賞装置４へは、後述する電動入賞装置８によって導かれた打球だけが誘導されるようになっている。」（段落【０００６】）
３．「特別入賞装置４の上部には、順に電動入賞装置８、ゲート通過口９、及び図柄表示装置１０が設けられている。・・・ゲート通過口９は、単に遊技領域３を落下する打球が通過するように構成されるだけで景品玉を排出するものではなく、ゲート通過口９を打球が通過することによってゲート通過口９の上部に設けられる図柄表示装置１０の変動表示を制御するものである。・・・しかして、ゲート通過口９には、ゲート入賞玉検出スイッチ（図示しない）が設けられ、その検出信号に基づいて図柄表示装置１０の変動表示が実行される。」（段落【０００７】）
４．「図柄表示装置１０は、複数・・・の図柄表示器１１ａ，１１ｂ・・・とゲート入賞記憶表示器１２とを含んで構成されている。図柄表示器１１ａ，１１ｂは、前記ゲート通過口９に打球が入賞したことに基づいて変動表示を開始すると共に一定時間（例えば、６秒）が経過すると左側の図柄表示器１１ａが停止した後、僅かな時間遅れて右側の図柄表示器１１ｂが停止制御されるようになっている。また、図柄表示器１１ａ，１１ｂに表示される図柄は、例えば、０〜９、Ｆの１１種類の数字及び英字図柄が変動表示されるようになっている。そして、両方の図柄表示器１１ａ，１１ｂの停止時の図柄の組み合わせが「３、３」又は「７、７」又は「Ｆ、Ｆ」の組み合わせであるときに、当りと判断されてゲート通過口９と特別入賞装置４との間に配置される電動入賞装置８が開放駆動されるようになっている。・・・」（段落【０００８】）
５．「ところで、前記図柄表示器１１ａ，１１ｂの停止時の組み合わせが当り図柄の組み合わせとなったときには、特別入賞装置４の上方に配置される電動入賞装置８が一定時間（例えば、６秒）開放される。図示の電動入賞装置８は、いわゆるチューリップ式入賞装置であって、チューリップソレノイド（図示しない）によって開放駆動されるようになっている。しかして、チューリップソレノイドが励磁されて電動入賞装置８が開放されると遊技領域３を落下する打球が受け入れられ易くなり、電動入賞装置８に受け入れられた打球は、特別入賞装置４に誘導され、複数の前記した通過領域５、６ａ，６ｂのいずれかに落入する。なお、電動入賞装置８に打球が１個入賞すると、一定時間の経過前であってもチューリップソレノイドがＯＦＦとなって閉じるようになっている。・・・」（段落【００１０】）
６．「また、前記ゲート通過口９の左右には、始動入賞口１３、３０が設けられている。この始動入賞口１３、３０は、前記したように特別装置の作動中において打球が入賞したことに基づいて一方の始動入賞口３０の下方に配置される変動入賞装置１４のアタッカー開閉板１５を開放するものである。・・・また、始動入賞口１３、３０には、打球の入賞を検出する始動入賞玉検出スイッチ（図示しない）が付設されている。・・・」（段落【００１１】）
７．「上記したように一方の始動入賞口３０の下方には、変動入賞装置１４が配置されている。この変動入賞装置１４は、開閉ソレノイド（図示しない）によって開閉駆動されるアタッカー開閉板１５を有し、アタッカー開閉板１５を開放した状態で遊技領域３を落下する打球を受け止めるようになっている。ただし、アタッカー開閉板１５の開放は、権利発生状態が継続されている状態であって前記始動入賞口１３、３０に打球が入賞したことに基づいて実行され、１回の開放が所定個数（例えば、１０個）の入賞玉が発生するまで、又は一定時間Ｔ１（例えば、９．５秒）が経過するまで継続される。そして、上記した所定個数を計数するために変動入賞装置１４は、入賞玉数検出スイッチ（図示しない）が付設されていると共に、該入賞玉数検出スイッチで検出された入賞玉数を表示するために入賞個数表示器１６が内蔵されている。」（段落【００１２】）
８．「以上のように構成される始動入賞口３０を使用したパチンコ機の遊技動作について図１、図８、及び図９を参照して説明すると、遊技者は、まず、遊技開始当初は、打球をゲート通過口９に入賞させるべく弾発動作を行う。しかして、打球がゲート通過口９を通過したときには、図柄表示装置１０の図柄表示機１１ａ，１１ｂが変動表示を開始し、一定時間が経過したときにその変動表示を停止する。しかして、その表示結果が予め定めた当り表示「３、３」「７、７」「Ｆ、Ｆ」のいずれかであるときには、電動入賞装置８が一定時間開放する。電動入賞装置８の開放中に打球が１個入賞すると、一定時間の経過前であっても電動入賞装置８は、閉じてしまう。そして、電動入賞装置８に打球が入賞すると、該打球は、特別入賞装置４に誘導され、特別装置作動領域５、通常入賞領域６ａ，６ｂのいずれかに導かれる。誘導された打球が通常入賞領域６ａ，６ｂに入賞した時には、単に通常の入賞となるだけであり、再度図柄表示装置１０により当り目を導出する遊技を継続する。一方、誘導された打球が特別装置作動領域５に入賞した時には、特別装置が作動して権利発生状態となる。」（段落【００２１】）
　これら１．〜８．の記載事項を含む刊行物全体の記載及び図面の記載並びに当業者の技術常識によれば、刊行物には、以下の発明が記載されているものと認められる。
　「遊技領域３中のゲート通過口９を打球が通過したことを検出するゲート入賞玉検出スイッチと、
　そのゲート通過口９に打球が入賞したことによるゲート入賞玉検出スイッチの検出信号に基づいて図柄を表示する図柄表示装置１０と、
　その図柄表示装置１０を構成する図柄表示器１１ａ，１１ｂの停止時の図柄の組み合わせが「３、３」又は「７、７」又は「Ｆ、Ｆ」の組み合わせであるときに開放駆動される電動入賞装置８と、
　その電動入賞装置８によって導かれ上方から受け入れた打球を、螺旋円盤を利用して旋回させその旋回中に特別装置作動領域５及び通過領域６ａ，６ｂのうちのいずれかに落下させる特別入賞装置４と、
　その特別入賞装置４が、受入れられた球を特別装置作動領域５に落下したときに権利発生状態を発生する特別装置と、
　始動入賞口１３，３０と、
　権利発生状態が発生されている間に前記始動入賞口１３，３０に打球が入賞するとアタッカー開閉板１５を開放する変動入賞装置１４とを備え、
　権利発生状態が発生されている間に特別装置作動領域５に打球が落下した場合には権利発生状態が終了されるパチンコ機において、
　遊技領域３の中央部には、上から前記ゲート通過口９、前記電動入賞装置８、前記特別入賞装置４の順でほぼ同一線上に配置するとともに、該ほぼ同一線の左右に前記始動入賞口１３，３０を配置するとともに、右方側に変動入賞装置１４を配置し、
　さらに、前記始動入賞口１３，３０は、前記電動入賞装置８及び前記変動入賞装置１４よりも上方に位置するように配置したパチンコ機。」（以下、「刊行物に記載された発明」という。）
　　
　　
【３】本願発明と刊行物に記載された発明との対比・検討
１．本願発明と刊行物に記載された発明との対比
　刊行物に記載された発明の「遊技領域３」，「ゲート通過口９」，「ゲート通過口９を打球が通過」，「ゲート入賞玉検出スイッチ」，「ゲート通過口９に打球が入賞したことによるゲート入賞玉検出スイッチの検出信号に基づいて」，「図柄表示装置１０」，「図柄表示装置１０を構成する図柄表示器１１ａ，１１ｂの停止時の図柄の組み合わせが「３、３」又は「７、７」又は「Ｆ、Ｆ」の組み合わせであるときに」，「開放駆動」，「電動入賞装置８」，「電動入賞装置８によって導かれ上方から受け入れた打球」，「螺旋円盤を利用して旋回させその旋回中に特別装置作動領域５及び通過領域６ａ，６ｂのうちのいずれかに落下させる特別入賞装置４」，「特別装置作動領域５」，「（特別装置作動領域５に）落下し」，「権利発生状態を（が）発生」，「特別装置」，「始動入賞口１３，３０」，「アタッカー開閉板１５を開放する変動入賞装置１４」，「権利発生状態が終了」，「パチンコ機」が、
　本願発明の「遊技領域」，「第１所定点」，「第１所定点に打球が到達」，「第１球検出装置」，「第１球検出装置が打球を検出することに基づいて」，「図柄表示装置」，「図柄表示装置に所定図柄が表示されることに基づいて」，「オープン」，「球受入装置」，「球受入装置に受入れられた球」，「物理的に振り分ける機械式振り分け装置」，「特別領域」，「（特別領域に）振り分け（られ）」，「特別入賞状態を（が）セット」，「特別入賞状態実現装置」，「始動入賞口」，「開放する大入賞口」，「特別入賞状態が解消」，「弾球遊技機」に、それぞれ相当するから、両者は、
　「遊技領域中の第１所定点に打球が到達したことを検出する第１球検出装置と、
　その第１球検出装置が打球を検出することに基づいて図柄を表示する図柄表示装置と、
　その図柄表示装置に所定図柄が表示されることに基づいてオープンされる球受入装置と、
　その球受入装置に受入れられた球を、物理的に振り分ける機械式振り分け装置と、
　その機械式振り分け装置が、受入れられた球を特別領域に振り分けたときに特別入賞状態をセットする特別入賞状態実現装置と、
　始動入賞口と、
　特別入賞状態がセットされている間に前記始動入賞口に打球が入賞すると開放する大入賞口とを備え、
　特別入賞状態がセットされている間に特別領域に打球が振り分けられた場合には特別入賞状態が解消される弾球遊技機において、
　遊技領域の中央部には、上から前記球受入装置、前記機械式振り分け装置の順でほぼ同一線上に配置するとともに、該ほぼ同一線の右方側に前記始動入賞口を配置し、前記第１所定点を配置し、
　さらに、前記始動入賞口は、前記大入賞口よりも上方に位置するように配置した弾球遊技機。」の点で一致し、以下の点で相違する。
＜相違点１＞
　「大入賞口」の配置位置について、本願発明が、「遊技領域の中央部には、上から球受入装置、機械式振り分け装置、大入賞口の順でほぼ同一線上に配置」しているのに対して、刊行物に記載された発明では、大入賞口（変動入賞装置１４）を、球受入装置（電動入賞装置８）や機械式振り分け装置（特別入賞装置４）が位置する遊技領域（遊技領域３）の中央部のほぼ同一線上に配置しておらず、当該ほぼ同一線の右方側に配置している点。
＜相違点２＞
　「第１所定点」の配置位置について、本願発明が、「（遊技領域の中央部のほぼ同一線の）左方側に第１所定点を配置」しているのに対して、刊行物に記載された発明では、第１所定点（ゲート通過口９）を、球受入装置（電動入賞装置８）や機械式振り分け装置（特別入賞装置４）が位置する遊技領域（遊技領域３）の中央部のほぼ同一線上における球受入装置（電動入賞装置８）の上方に配置している点。
＜相違点３＞
　「始動入賞口」の配置位置について、本願発明が、「始動入賞口は、球受入装置よりも下方であって、かつ大入賞口よりも上方に位置するように配置」しているのに対して、刊行物に記載された発明では、始動入賞口（右方側の始動入賞口３０）を、大入賞口（変動入賞装置１４）よりも上方に位置するように配置しているものの、球受入装置（電動入賞装置８）よりも下方に位置するように配置していない点。
　　
２．相違点についての検討
＜相違点１について＞
　遊技領域の中央部に、上から球受入装置、機械式振り分け装置、大入賞口の順でほぼ同一線上に配置することは、
　例えば、特開平４−３４８７７６号公報（遊技域３（本願発明の遊技領域に相当する。以下同様。）の中央部に、上からチューリップ式特定入賞口３２（球受入装置）、特別入賞装置４（機械式振り分け装置）、変動入賞装置５（大入賞口）の順でほぼ同一線上に配置したパチンコ機が記載されている。段落【００２７】〜【００３１】，【００４１】，【００５１】等の記載及び図面の記載を参照。）、特開平４−２７９１８９号公報（遊技領域３（遊技領域）の中央部に、上から電動入賞装置１６（球受入装置）、特別入賞装置４（機械式振り分け装置）、変動入賞装置８（大入賞口）の順でほぼ同一線上に配置したパチンコ機が記載されている。段落【０００６】，【０００７】，【０００９】〜【００１１】，【００１３】等の記載及び図面の記載を参照。）に示されているように、パチンコ機を含む弾球遊技機の技術分野において、従来から周知の技術である。
　而して、このような弾球遊技機の技術分野における周知の技術を刊行物に記載された発明に適用することについては何らの阻害要因も認められないから、本願発明の相違点１に係る技術事項については、刊行物に記載された発明における大入賞口（変動入賞装置１４）の配置位置に関して、例えば、始動入賞口（右方側の始動入賞口３０）や球受入装置（電動入賞装置８）の配置の自由度を大きくするため、上記周知の技術を考慮しこれを適用することにより、当業者が容易に想到し得たものと認められる。
＜相違点２について＞
　遊技領域の中央部のほぼ同一線の左方側に、第１所定点を配置することは、
　例えば、特開平４−２７９１８９号公報（遊技領域３（遊技領域）の中央部に、上から電動入賞装置１６（球受入装置）、特別入賞装置４（機械式振り分け装置）、変動入賞装置８（大入賞口）の順でほぼ同一線上に配置したものにおいて、図柄表示装置１３（図柄表示装置）の変動表示を制御するゲート入賞口１２ａ（第１所定点）を上記ほぼ同一線の左方側に配置したパチンコ機が記載されている。（段落【０００６】，【０００７】，【０００９】〜【００１１】，【００１３】等の記載及び図面の記載を参照。）、特開平５−３９４５号公報（遊技域３（遊技領域）の中央部に、上から特別入賞装置５（機械式振り分け装置）、変動入賞装置６（大入賞口）の順でほぼ同一線上に配置したもの（但し、普通図柄表示器６２（図柄表示装置）が所定の図柄であったときに開駆動される始動口９（球受入装置）は当該ほぼ同一線上に配置していない。）において、図柄表示装置６２の変動表示を制御する特定ゲート７（第１所定点）を上記ほぼ同一線の左方側に配置したパチンコ機が記載されている。段落【００１２】，【００２０】，【００２４】，【００２７】〜【００３０】，【００４６】，【００５８】等の記載及び図面の記載を参照。）に示されているように、パチンコ機を含む弾球遊技機の技術分野において、従来から周知の技術である。
　而して、このような弾球遊技機の技術分野における周知の技術を刊行物に記載された発明に適用することについては何らの阻害要因も認められないから、本願発明の相違点２に係る技術事項については、刊行物に記載された発明における第１所定点（ゲート通過口９）の配置位置に関して、例えば、右打ち中に図柄を作動させないようにするため、上記周知の技術を考慮しこれを適用することにより、当業者が容易に想到し得たものと認められる。
＜相違点３について＞
　遊技領域の中央部のほぼ同一線の右方側に配置した始動入賞口を、球受入装置よりも下方であって、かつ大入賞口よりも上方に位置するように配置することは、
　例えば、特開平４−３４８７７６号公報（遊技域３（遊技領域）の中央部に、上からチューリップ式特定入賞口３２（球受入装置）、特別入賞装置４（機械式振り分け装置）、変動入賞装置５（大入賞口）の順でほぼ同一線上に配置したものにおいて、上記ほぼ同一線の右方側に配置した始動口６Ｂ（始動入賞口）を、チューリップ式特定入賞口３２よりも下方であって、かつ変動入賞装置５よりも上方に位置するように配置したパチンコ機が記載されている。段落【００２７】〜【００３１】，【００４１】，【００５１】等の記載及び図面の記載を参照。）、特開平４−３４７１８８号公報（遊技域３（遊技領域）の中央部に、上から特定入賞口２１（球受入装置）、変動入賞装置５（大入賞口）の順でほぼ同一線上に配置したもの（但し、本願発明の機械式振り分け装置に相当する部材は備えていない。）において、上記ほぼ同一線の右方側に配置した始動口７（始動入賞口）を、特定入賞口２１よりも下方であって、かつ変動入賞装置５よりも上方に位置するように配置したパチンコ機が記載されている。段落【００１０】，【００１１】，【００１６】〜【００１９】，【００３０】等の記載及び図面の記載を参照。）、特開平５−１３１０５８号公報（遊技領域１２（遊技領域）の中央部に変動入賞装置３１（大入賞口）を配置したもの（但し、特別入賞装置２３（球受入装置，機械式振り分け装置）は遊技領域１２の右上部に配置されている。）において、右方側に配置した始動入賞口２７（始動入賞口）を、特別入賞装置２３よりも下方であって、かつ変動入賞装置３１よりも上方に位置するように配置したパチンコ機が記載されている。段落【００１３】〜【００１５】，【００２１】等の記載及び図面の記載を参照。）に示されているように、パチンコ機を含む弾球遊技機の技術分野において、従来から周知の技術である。
　而して、このような弾球遊技機の技術分野における周知の技術を刊行物に記載された発明に適用することについては何らの阻害要因も認められないから、本願発明の相違点３に係る技術事項については、刊行物に記載された発明における始動入賞口（右方側の始動入賞口３０）の配置位置に関して、例えば、右打ち中に当該始動入賞口に当たって球受入装置（電動入賞装置８）に入賞することのないようにするため、上記周知の技術を考慮しこれを適用することにより、当業者が容易に想到し得たものと認められる。
　　
３．作用効果・判断
　そして、本願発明によって奏する効果も、刊行物に記載された発明及び弾球遊技機の技術分野における周知の技術から普通に予測できる範囲内のものであって格別なものがあるとは認められないから、本願発明は、刊行物に記載された発明及び上記周知の技術に基づき当業者が容易に発明をすることができたものであって、特許法第２９条第２項の規定により、特許を受けることができないものである。